(57)【要約】  【課題】印刷媒体の広告からウェブサイトに訪問するとき、その実績を把握する仕組みを作り、利益分配を行うことができる広告システムを提供する。  【解決手段】印刷媒体４上に形成されたアフリェイトコード５を読取装置６で読み取りアフリェイトシステム２に送信する。アフリェイトシステム２では、アフリェイトコード５を電子商取引サイト３のアドレスに変換する。これにより、アフリェイトシステム２は、広告の実績を把握し、広告の効果を計算する。アフリェイトシステム２は、計算された広告報酬を電子商取引サイト３、印刷媒体４の出版社、印刷媒体４の販売店に送信する。よって、出版社、販売店、アフリェイトシステム２は広告報酬を電子商取引サイト３に請求することができる。  【選択図】図１
2008041014.tif 000002
【特許請求の範囲】
【請求項１】
印刷媒体（４）上に形成されたコード（５）を読み取るための読取装置（６）が接続又は内蔵され、かつ、ネットワーク（１０）に接続された情報端末（７）と、
前記ネットワーク（１０）に接続され、前記コード（５）を前記ネットワーク（１０）上のネットワークアドレスに変換する管理端末（２）とからなるシステムであって、
前記読取装置（６）は、読み取った前記コード（５）を前記情報端末（７）に送信し、
前記情報端末（７）は、前記コード（５）を前記管理端末（２）に送信し、
前記管理端末（２）は前記コード（５）を前記ネットワークアドレスに変換し、前記情報端末（７）の要求を前記ネットワーク（１０）上の前記ネットワークアドレスに送信し、
前記情報端末（７）が前記ネットワークアドレスから送信されてきたデータを受信する
ことを特徴とする広告システム。
【請求項２】
請求項１において、
前記管理端末（２）は、
（i）（ａ）前記コード（５）と前記コード（５）に対応する前記ネットワークアドレスを記録したテーブルである変換テーベル（３２）と、（ｂ）前記コード（５）を前記コード（５）に対応する前記ネットワークアドレスに変換したアクセスをカウントした情報を記録したテーブルであるアクセスカウントテーブル（３４）と、（ｃ）前記コード（５）、前記コード（５）に対応する前記ネットワークアドレスを有する電子商取引サイト（３）、前記ネットワークアドレスにアクセスしたときの広告報酬からなるテーブルである広告オファーテーブル（３６）、及び（ｄ）前記アクセスカウントテーブル（３４）の記録に応じて、前記電子商取引サイト（３）に請求する金額が計算され、この計算結果が記録されたテーブルである請求データテーブル（４０）とからなるアフリェイトシステムデータベース（３０）と、
（ii）前記情報端末（７）からの送信情報を受信する受信手段と、
（iii）前記変換テーブル（３２）から前記コード（５）に対応する前記ネットワークアドレスを検索する検索手段と、
（iv）前記検索手段の検索結果の前記ネットワークアドレスを含む情報を前記ネットワーク（１０）に送信する送信手段と、
（v）前記送信が終了した後、前記アクセスをカウントし、前記アクセスカウントテーブル（３４）を更新するカウント手段と、
（vi）前記コード（５）に対応する前記広告報酬を用いて前記電子商取引サイト（３）に請求する金額を計算し、前記請求データテーブル（４０）を更新する計算手段と
からなる
ことを特徴とする広告システム。
【請求項３】
請求項２において、
前記コード（５）は、前記読取装置（６）を識別するためのデータ、及び前記印刷媒体（４）の発行ルート又は販売ルートを示すデータからなり、
前記計算手段は、前記発行ルート又は前記販売ルートに関するデータから、前記発行ルート又は前記販売ルートに対する広告料金を計算する
ことを特徴とする広告システム。
ことを特徴とする広告システム。
【請求項４】
請求項１〜３の中から選択される１項において、
前記コード（５）は、２次元（ｘｙ方向）に所定間隔毎に２次元配列をなすように設けられた格子点（２１）と、隣接する４つの格子点の中心点から所定方向（ｘ方向又はｙ方向に）に所定間隔だけずらして配置した１以上の情報ドット（２３）と、前記格子点（２１）の内の特定の格子点（２１）をその位置から所定方向に所定間隔だけずらして前記格子点（２１）の向きを識別するための識別ドット（２２）とからなるドットパターン（２０）であり、
読取装置（６）は、前記ドットパターン（２０）を光学的に読み取る読取手段と、読み取った値をメモリ上に展開し、等間隔に配置された前記格子点（２１）と、前記識別ドット（２２）を用いて前記ドットパターン（２０）の配置を認識する格子ドット認識手段と、前記情報ドット（２３）とそれを囲むように配置された前記格子点（２１）又は識別ドット（２２）との相互位置関係から前記情報ドット（２３）が意味する値を認識する情報ドット認識手段と、及び前記情報ドット認識手段の結果から前記コード（５）の値を計算するコード取得手段とからなる
ことを特徴とする広告システム。
【請求項５】
請求項１〜３の中から選択される１項において、
前記コード（５）は、二次元コードであるＱＲ（Quick Response）コードであり、
読取装置（６、９）は、前記ＱＲコードを光学的に読み取る読取手段と、前記読取手段の値から前記ＱＲコードを認識する認識手段とからなる
ことを特徴とする広告システム。
【請求項６】
請求項４において、
前記コード（５）は、赤外線のスペクトルを有する色で前記印刷媒体（４）上に形成され、
前記読取手段（６）は、前記赤外線を感知する
ことを特徴とする広告システム。
【請求項７】
請求項１〜３の中から選択される１項において、
前記読取手段（６）は、個人認証用のデータを格納したＩＣチップを有する
ことを特徴とする広告システム。
【発明の詳細な説明】
【技術分野】
【０００１】
本発明は、広告管理システムに関する。特に、印刷物に掲載された広告をインターネット上のＵＲＬに関連付けるアフリェイト広告システムに関する。
【背景技術】
【０００２】
近年、インターネットのユーザが電子商取引サイトを利用する傾向が多くなっている。特許文献１には、ユーザーの購買履歴に応じた広告情報をＷＷＷページ上に表示するようにした個人別インターネット広告方法に関するものを開示している。このシステムは、ユーザの顧客履歴に基づき、広告製品データベースから顧客に対応した広告対象製品を抜き出してＷＷＷサーバー上に保存する。そして、顧客毎にＩＤ、パスワードを発行してダイレクトメールによってユーザに配付する。ユーザは、ＩＤとパスワードによる認証を利用してＷＷＷサーバー上に保存された顧客別の個別広告にアクセスする。
【０００３】
特許文献２には、ＷＷＷページのバナー広告を利用した電子商取引を行うシステム用のネットワーク広告配信管理システムを開示している。このネットワーク広告配信管理システムは、新規アフィリエイトサイトの募集を既存アフィリエイトサイト自身の工夫と努力で促進できるシステムである。ネットワーク広告配信管理システムは、広告主の商用ページを掲載する商用サイト装置と、商用サイト装置にリンクされた広告を広告掲載用ページに掲載する広告掲載サイト装置と、広告掲載用ページへの広告の配信と広告掲載料の支払い管理を行う管理装置とからなる。
【０００４】
管理装置は、ある広告掲載サイトを通じて商用サイトの広告掲載サイト募集に応じ商用サイトの広告掲載サイトとなったサイトがあったら、広告掲載サイトを子サイト、経由広告掲載サイトを親サイトとする親子関係を作る。その後、子サイトを経由して商用サイトで商品購入等の行為を行ったら、子サイトと親子関係にある親アフリェイトサイトにも勧誘報奨金の形で料金を支払う。
【０００５】
このような広告アフリエイトシステム等に伴い、電子商店街等の運営が好調になっている。これらのウェブ上に掲載された広告は、ユーザがそれをクリックするときにどのＵＲＬ経由で行われたか把握することができ、広告の実績把握が可能である。また、書籍、雑誌、新聞等の印刷媒体には広告を掲載し、ユーザはこの広告に掲載されたＵＲＬ等にアクセスすることができる。印刷媒体には、ＵＲＬ情報を掲載するとき、直接ＵＲＬを書き込み印刷している。更に、ＵＲＬをバーコードやＱＲ（株式会社デンソーウェーブの登録商標）に変換して印刷している。
【特許文献１】特開平１１−２８２３９３号公報。
【特許文献２】特開２００２−２４６８６号公報。
【発明の開示】
【発明が解決しようとする課題】
【０００６】
しかしながら、印刷物による広告は実績把握が困難である。そのために、広告料金は事前の契約に基づく固定料金制度がほとんどの場合執行されている。印刷媒体の広告からウェブサイトに訪問するとき、その実績を把握する仕組みを作ることが求められている。印刷媒体にＵＲＬ等を記載して、このＵＲＬから広告ウェブページに誘導しても、アクセスルートを明確に把握することが出来ず、印刷媒体による成功報酬型広告システム（アフリエイトシステム）の実現が望まれている。
【０００７】
本発明は上述のような技術背景のもとになされたものであり、下記の目的を達成する。
本発明の目的は、印刷媒体の広告からウェブサイトに訪問するとき、その実績を把握する仕組みを作った広告システムを提供する。
【０００８】
本発明の他の目的は、インターネット上に採用されているアフリェイト広告のシステムを印刷物でもできるようにする広告システムを提供する。
本発明の更に他の目的は、ウェブ接続で、ユーザがどの印刷媒体からアクセスしたかを明確に把握し、利益分配を行うことができる広告システムを提供する。
【課題を解決するための手段】
【０００９】
本発明は、前記目的を達成するため、次の手段を採る。
本発明１の広告システムは、印刷媒体（４）上に形成されたコード（５）を読み取るための読取装置（６）が接続又は内蔵され、かつ、ネットワーク（１０）に接続された情報端末（７）と、前記ネットワーク（１０）に接続され、前記コード（５）を前記ネットワーク（１０）上のネットワークアドレスに変換する管理端末（２）とからなるシステムであって、前記読取装置（６）は、読み取った前記コード（５）を前記情報端末（７）に送信し、前記情報端末（７）は、前記コード（５）を前記管理端末（２）に送信し、前記管理端末（２）は前記コード（５）を前記ネットワークアドレスに変換し、前記情報端末（７）の要求を前記ネットワーク（１０）上の前記ネットワークアドレスに送信し、前記情報端末（７）が前記ネットワークアドレスから送信されてきたデータを受信することを特徴とする。
【００１０】
本発明２の広告システムは、発明１において、前記管理端末（２）は、（１）（ａ）前記コード（５）と前記コード（５）に対応する前記ネットワークアドレスを記録したテーブルである変換テーベル（３２）と、（ｂ）前記コード（５）を前記コード（５）に対応する前記ネットワークアドレスに変換したアクセスをカウントした情報を記録したテーブルであるアクセスカウントテーブル（３４）と、（ｃ）前記コード（５）、前記コード（５）に対応する前記ネットワークアドレスを有する電子商取引サイト（３）、前記ネットワークアドレスにアクセスしたときの広告報酬からなるテーブルである広告オファーテーブル（３６）と、及び（ｄ）前記アクセスカウントテーブル（３４）の記録に応じて、前記電子商取引サイト（３）に請求する金額が計算され、この計算結果が記録されたテーブルである請求データテーブル（４０）とからなるアフリェイトシステムデータベース（３０）を有することを特徴とする。
【００１１】
本発明２の広告システムは、発明１において、前記管理端末（２）は、更に、（２）前記情報端末（７）からの送信情報を受信する受信手段と、（３）前記変換テーブル（３２）から前記コード（５）に対応する前記ネットワークアドレスを検索する検索手段と、（４）前記検索手段の検索結果の前記ネットワークアドレスを含む情報を前記ネットワーク（１０）に送信する送信手段と、（５）前記送信が終了した後、前記アクセスをカウントし、前記アクセスカウントテーブル（３４）を更新するカウント手段と、（６）前記コード（５）に対応する前記広告報酬を用いて前記電子商取引サイト（３）に請求する金額を計算し、前記請求データテーブル（４０）を更新する計算手段とを有することを特徴とする。
【００１２】
本発明３の広告システムは、発明２において、前記コード（５）は、前記読取装置（６）を識別するためのデータ、及び前記印刷媒体（４）の発行ルート又は販売ルートを示すデータからなり、前記計算手段は、前記発行ルート又は前記販売ルートに関するデータから、前記発行ルート又は前記販売ルートに対する広告料金を計算することを特徴とする。
【００１３】
本発明４の広告システムは、発明１〜３の中から選択される１発明において、前記コード（５）は、２次元（ｘｙ方向）に所定間隔毎に２次元配列をなすように設けられた格子点（２１）と、隣接する４つの格子点の中心点から所定方向（ｘ方向又はｙ方向に）に所定間隔だけずらして配置した１以上の情報ドット（２３）と、前記格子点（２１）の内の特定の格子点（２１）をその位置から所定方向に所定間隔だけずらして前記格子点（２１）の向きを識別するための識別ドット（２２）とからなるドットパターン（２０）であり、読取装置（６）は、前記ドットパターン（２０）を光学的に読み取る読取手段と、読み取った値をメモリ上に展開し、等間隔に配置された前記格子点（２１）と、前記識別ドット（２２）を用いて前記ドットパターン（２０）の配置を認識する格子ドット認識手段と、前記情報ドット（２３）とそれを囲むように配置された前記格子点（２１）又は識別ドット（２２）との相互位置関係から前記情報ドット（２３）が意味する値を認識する情報ドット認識手段と、及び前記情報ドット認識手段の結果から前記コード（５）の値を計算するコード取得手段とからなることを特徴とする。
【００１４】
本発明５の広告システムは、発明１〜３の中から選択される１発明において、前記コード（５）は、ＱＲコードであり、読取装置（６、９）は、前記ＱＲコードを光学的に読み取る読取手段と、前記読取手段の値から前記ＱＲコードを認識する認識手段とからなることを特徴とする。
【００１５】
本発明６の広告システムは、発明４において、前記コード（５）は、赤外線のスペクトルを有する色で前記印刷媒体（４）上に形成され、前記読取手段（６）は、前記赤外線を感知することを特徴とする。
【００１６】
本発明７の広告システムは、発明１〜３の中から選択される１発明において、前記読取手段（６）は、個人認証用のデータを格納したＩＣチップを有することを特徴とする。
【発明の効果】
【００１７】
本発明によると、次の効果が奏される。
本発明は、ユーザが印刷媒体に印刷された広告から電子商取引サイトにアクセスするとき、アフリェイトコードを広告に印刷してこれをインターネット上のアフリェイトシステムにおいて電子商取引サイトのアドレスに変換することで、印刷媒体の販売ルートを把握することが可能になり、成功型報酬の広告システムを提供することができるようになった。
【００１８】
本発明は、印刷媒体に掲載された広告の効果を全て把握できるので、広告主は、広告料金を固定費ではなく、変動費として執行できるようになり、商品販売・役務の成功に応じて広告料金を支払うために広告費用の節約ができる。
本発明は、読取装置に識別番号を付与されているので、読取装置を持参している人の個人認証を行うことができるようになった。
本発明は、広告ごとにその効果を把握することができるようになり、商品販売を行っている電子商取引サイトから出版社、販売店、アフリェイトシステムに支払う手数料を計算することができる。
【発明を実施するための最良の形態】
【００１９】
本発明は、広告システムを提供する。ユーザは、印刷媒体に掲載された広告等を見て、広告等の商品又は役務を電子商取引サイトにアクセスして購入する。このとき、ユーザは読取装置によって印刷媒体に掲載されたアフリェイトコードを読み取り、商品又は役務の販売又は提供を行っている電子商取引サイトのウェブページにアクセスする。このアフリェイトコードは、読取装置に読み取られてユーザの情報端末からアフリェイトシステムに送信される。
【００２０】
アフリェイトシステムはこのアフリェイトコードを電子商取引サイトのアドレスに変換して、電子商取引サイトに送信する。電子商取引サイトからユーザの情報端末に要求された情報が送信される。このように、本発明の広告システムは、アフリェイトシステムでだれが電子商取引サイトにアクセスしたかを把握し、電子商取引サイト、印刷媒体の出版社、印刷媒体の販売店との間の広告効果を把握できる。よって、本発明の広告システムは、これらの間の利益分配を可能にする。
【００２１】
以後、本発明の実施の形態を説明する。
図１は、本発明の実施の形態の広告システムの概要を図示した図である。図１に図示するように、広告システムは、ユーザ側１、アフリェイトシステム２、及び電子商取引サイト３から構成される。ユーザ側１は、読取装置６と情報端末７からなる。読取装置６は、印刷媒体４に掲載されたアフリェイトコード５を読み取るための装置である。情報端末７は、この読取装置６で読み取ったアフリェイトコード５をアフリェイトシステム２に送信するための電子計算機である。
【００２２】
本実施の形態においては、情報端末７は、パーソナルコンピュータ８と携帯電話器９である。読取装置６は、パーソナルコンピュータ８に接続可能な光学読取装置である。携帯電話器９が、内蔵カメラ（図示せず）でアフリェイトコード５を撮影し、内部で信号処理することで、アフリェイトコード５を認識する。よって、携帯電話器９は、読取装置６を内蔵した情報端末と理解することができる。
【００２３】
アフリェイトシステム２と電子商取引サイト３は、インターネット１０に接続されたサイトである。インターネットに接続可能な情報端末であれば、どこからでもこれらのアフリェイトシステム２と電子商取引サイト３にアクセス可能である。パーソナルコンピュータ８は、インターネット１０に接続可能な環境に設置されている。パーソナルコンピュータ８は、ＬＡＮ（Local Area Network）等のネットワークに接続されていても最終的にインターネット１０に接続可能である。
【００２４】
携帯電話器９が無線情報通信網を経由して最終的にインターネット１０に接続可能な環境にあるものである。よって、情報端末７がインターネット１０に接続可能であり、そのアクセスの方法が本発明の趣旨ではないので、その説明は省略する。アフリェイトシステム２は、アフリェイトシステム２用のアフリェイトシステムデータベース３０（図５を参照）にアクセス可能なウェブサーバ（図示せず）で構築される。図５は、このアフリェイトシステムデータベース３０の概要を図示したブロック図であり、その詳細な説明は、後述する。
【００２５】
電子商取引サイト３は、商品データ、顧客データ、商品の販売データ等の電子商取引に必要なデータを格納した電子商取引データベースを有するウェブサーバ（図示せず）で構築される。本発明は、電子商取引サイト３を提供するものではないので、その説明は省略する。電子商取引サイト３は、独自のＵＲＬを持つ、インターネット１０上のサイトとして、説明を行う。電子商取引サイト３は、商品又は役務等の販売又は提供を行っている。
【００２６】
印刷媒体４は、雑誌、新聞、書籍、街頭に配布される宣伝チラシ等の印刷可能なものである。印刷媒体４は、出版社から出版されて、販売店で販売されるものとする。電子商取引サイト３が販売又は提供している商品又は役務等の広告は、印刷媒体４に掲載される。この広告には、電子商取引サイト３のＵＲＬ、ドメインネームやＩＰアドレス等のサイトアドレスに対応したアフリェイトコード５が付いている。
【００２７】
印刷媒体４に掲載されるアフリェイトコード５は、ドットパターン２０（図３参照）又はＱＲコード（登録商標、http://www.qrcode.com/を参照）を用いる。図２には、アフリェイトコード５の例を図示している。図２の例１に示すように、アフリェイトコード５は、一次コード、二次コード、及びユーザコードの３つのコードから構成される。一次コード及び二次コードは、階層組織の親組織、子組織に割り当てることができる。ユーザコードは、ユーザを識別するためのもので、例えば、光学読取装置を識別するものである。
【００２８】
図２の例２には、もっと具体的な例を示している。アフリェイトコード５は３つの識別番号から構成されている。光学読取装置識別コード、販売店コード、出版社コードである。ユーザが、あるアフリェイトコード５をスキャンして対応するウェブページにアクセスしたとき、誰がどのようにアクセスしたかを把握することができる。例えば、光学読取装置識別コードでユーザを、販売店コードで印刷媒体４の販売店を、出版社コードで印刷媒体４の出版社を把握することができる。
【００２９】
（ドットパターンの説明）
アフリェイトコード５を表しているドットパターン２０を説明する。図３は、アフリェイトコード５に用いるドットパターン２０の一例を図示している図である。ドットパターン２０は、格子ドット２１、キードット２２、及び情報ドット２３からなり、これらのドットを所定の規則に沿って配列したものである。このドットパターン２０、及びドットパターン２０を用いた情報入出力については、ＷＯ２００４／８４１２５、ＷＯ２００４／２９８７１、ＷＯ２００５／６４５２３、ＷＯ２００５／６４５３０、ＷＯ２００５／１１４５４６等の公報に詳しく説明されている。ここで、その概要にについて簡単に説明する。
【００３０】
図３に図示するようにドットパターン２０は、格子ドット２１を５×５に等間隔で配列して１つのブロックにし、真ん中の格子ドット２１を少しずらしてキードット２２にしている。このブロックは太線枠で現されている。４つの格子ドット２１に囲まれた領域に情報ドット２３が配置される。情報ドット２３は、数値情報を表す。情報ドット２３と、その周囲の格子ドット２１との相対位置によって数値情報が定義されている。
【００３１】
例えば、図４に示すように、情報ドット２３の配置によって０〜８の数値情報を２進数で定義することができる。ここには、２本の線の交差点は、情報ドット２３を囲んでいる４つの格子ドット２１の中心点である。情報ドット２３は、この中心点から所定の距離離れて配置されている。更に、この中心点から４５℃回転させた方向に８個の情報ドットを配置することができる。このように１つの情報ドットで３ビットの情報を表現することができる。５ｘ５の格子ドット２１の配列からなるブロックの場合は、３ビット×１６固＝４８ビットの情報を表現することができる。
【００３２】
また、情報ドット２３と、格子ドット２１との相対位置の定義よって、８ビット以上の情報を定義することもできる。上述のように、４つの格子ドット２１の中心点から８方向に情報ドット２３を配置すると８ビットの情報を表現できる。１６方向の場合は、４ビットの情報を表現することが可能である。更に、４つの格子ドット２１の中心点の回りに２以上の情報ドットを配置して情報を表現することができる。４つの格子ドット２１の中心点から情報ドット２３までの距離に２つ以上の値を用いることで、表現情報のビット数を多くすることができる。これらについては、上記の特許文献に開示している。
【００３３】
ドットパターン２０は、印刷媒体４には人間の目に見えない色で印刷する。例えば、ドットパターン２０は、赤外線の色のインクで印刷される。読取装置６が赤外線を感知する装置である。このように、ドットパターン２０が赤外線等の人間の目に見えない色で印刷されると、ドットパターン２０は印刷媒体４に印刷された図や文字の上に直接印刷することが可能であり、その使い勝手が向上する。
【００３４】
（ＱＲコードについて）
アフリェイトコード５としては、ＱＲコードを利用することができる。ＱＲコードは、利用する字数の長さによって、その大きさはことなる。ＱＲコードは、人間の目に見えるように印刷する。読取装置６又は、携帯電話機９のカメラ（図示せず）で読み取ることができる。携帯電話機９の場合は、市販のほとんどの機種がＱＲコードの読取機能が搭載されており、この機能を利用することができる。この場合は、アフリェイトシステム２のアドレスと、アフリェイトコード５がＱＲコードに含まれることになる。携帯電話機９は、ＱＲコードを読み取り、アフリェイトシステム２のアドレスを取得し、このアドレスに、アフリェイトコード５を渡す。
【００３５】
（データベース３０の概要）
図５には、アフリェイトシステム２用のアフリェイトシステムデータベース３０の概要を示すブロック図である。アフリェイトシステムデータベース３０は、変換テーベル３２、アクセスカウントテーブル３４、広告オファーテーブル３６、売り上げテーブル３８、請求テーブル４０、第１クライアントテーブル４２、第２クライアントテーブル４４、第３クライアントテーブル４６、ユーザテーブル４８等を有する。
【００３６】
変換テーベル３２は、アフリェイトコード５を電子商取引サイト３のアドレスに変換するためのデータを格納したテーブルである。アクセスカウントテーブル３４は、アフリェイトコード５を電子商取引サイトのアドレスに変換した実績を記録したテーブルである。広告オファーテーブル３６は、電子商取引サイト３の名前を示す電子商取引サイト名、広告する商品の説明、広告の報酬等の情報を格納したテーブルである。広告の報酬としては、例えば、電子商取引サイト３上の商品をクリックしたときの広告報酬を示すクリック単価、広告を掲載するときに支払われる定額報酬、商品が販売された売り上げの一定の割合を支払う定率報酬等がある。
【００３７】
売り上げテーブル３８は、販売店での売り上げ等が格納されたテーブルである。請求テーブル４０は、出版会社、販売店に支払われる報酬についての情報を格納したデーブルである。例えば、電子商取引サイト名、電子商取引サイト３上の商品をクリックしたときの広告報酬を示すクリック報酬金額、定額報酬の金額を示す定額報酬金額、定率報酬の金額を示す定率報酬金額等を格納する。
【００３８】
第１クライアントテーブル４２は、電子商取引サイト３についての情報を格納したテーブルである。第１クライアントテーブル４２には、電子商取引サイト名、そのＵＲＬ、担当者、住所、電子メールアドレス、請求先、販売商品の情報等が格納される。第２クライアントテーブル４４は、出版社についての情報を格納したテーブルである。第２クライアントテーブル４４には、出版社名、担当者、住所、電話番号、電子メールアドレス、銀行口座の情報、販売店の情報等が格納される。
【００３９】
第３クライアントテーブル４６は、販売店についての情報を格納したテーブルである。第３クライアントテーブル４６には、販売店名、担当者、住所、電話番号、電子メールアドレス、銀行口座の情報、販売店の情報等が格納される。ユーザテーブル４８は、ユーザに関する情報を格納したテーブルである。ユーザテーブル４８には、ユーザが利用する読取装置６のＩＤ、読取装置６の販売情報、商品購入情報等が格納される。また、ユーザテーブル４８には、携帯電話器９の携帯電話番号、商品購入情報等が格納される。
【００４０】
（広告システム全体の動作）
広告システム全体の動作を図６のフローチャートを参照しながら説明する。印刷媒体４は、販売店からユーザに提供される（ステップ１０）。ユーザは、印刷媒体４に掲載された広告を見て、アフリェイトコード５を読取装置６で読み取る（ステップ１２、１４）。読み取られたアフリェイトコード５は、読取装置６から情報端末７に送信され、更に、情報端末７からアフリェイトシステム２向けに送信される（ステップ１６、１８）。
【００４１】
アフリェイトシステム２は、アフリェイトコード５を受け取り、それに対応する電子商取引サイト３のアドレスを検索して、アフリェイトコード５を電子商取引サイト３のＵＲＬに変換する（ステップ２０）。そして、アフリェイトシステム２は、電子商取引サイト３にユーザの要求を含む送信データを送信する（ステップ２２）。ユーザの要求は、例えば、ユーザに電子商取引サイト３の閲覧要求、商品の購入要求、役務の提供要求等である。電子商取引サイト３は、アフリェイトシステム２から送信されてきた送信データを受信して、それに対応してユーザ側１に必要なデータを送信する（ステップ２４、２６）。よって、ユーザ側１と電子商取引サイト３との間で電子商取引が行われる（ステップ２８）。
【００４２】
アフリェイトシステム２は、この電子商取引の結果を受けて、印刷媒体４に掲載された広告の効果を計算する（ステップ３０）。この広告の効果によって、電子商取引サイト３から印刷媒体４を発行した出版社、印刷媒体４を販売した販売店に支払う広告料金を計算することが可能である。アフリェイトシステム２は、計算された結果を、電子商取引サイト３、出版社、販売店等の関係者に送信する（ステップ３２）。
【００４３】
このように、アフリェイトコード５を印刷媒体４の広告に印刷し、アフリェイトシステム２においてアフリェイトコード５を電子商取引サイト３のアドレスに変換することで、広告の効果を把握し、広告料金の公正な分配を実現できる。
【００４４】
（業務提携について）
ここで、出版社、アフリェイトシステム２、電子商取引サイト３との間にできる協力関係の構築について説明する。図７は、出版社、アフリェイトシステム２、電子商取引サイト３が業務提携を行うときの流れを示すフローチャートである。まず、電子商取引サイト３は、販売する商品のウェブアドレスを示すＵＲＬを発行する（ステップ５０）。このＵＲＬは、アフリェイトシステム２を利用してこの商品を購入するために使われるものである。このＵＲＬは、できればアフリェイトシステム２のみに利用される独自のものであることが好ましい。
【００４５】
電子商取引サイト３は、アフリェイトシステム２にこのＵＲＬを知らせる。電子商取引サイト３の管理者が、アフリェイトシステム２に電子商取引サイト３を登録し、発行したＵＲＬを登録する。この登録のとき、第１クライアントテーブル４２（図５を参照）、広告オファーテーブル３６（図５を参照）に格納される情報が登録されると良い。商品情報、広告の報酬情報が、広告オファーリスト５０（図９を参照）という形で出版社に提示される。
【００４６】
アフリェイトシステム２は、電子商取引サイト３のアドレスに対してアフリェイトコード５を発行する（ステップ５２）。発行されたアフリェイトコード５は、変換テーブル３２（図５を参照）等に登録される。出版社は、広告を、そのアフリェイトコード５と一緒に印刷媒体４に掲載して出版する（ステップ５４）。出版社は、印刷媒体４に掲載した広告についての情報をアフリェイトシステム４に登録する。この登録をしないと広告報酬を受け取ることができない。出版社から出版された印刷媒体４は、出版社と提供して販売店で販売される（ステップ５６）。
【００４７】
ユーザは、この販売店から印刷媒体４を購入する（ステップ５８）。ユーザは、印刷媒体４に掲載された広告を見て、アフリェイトコード５を読取装置６で読み取り、アフリェイトシステム２に送信する。アフリェイトシステム２は、アフリェイトコード５をアフリェイトコード５を電子商取引サイト３のＵＲＬに変換する（ステップ６２）。ユーザ側１がこのＵＲＬにアクセスし、商品の購入等を行う（ステップ６４）。アフリェイトシステム２は、この電子商取引の結果を受けて、どのユーザが商品にアクセスしたか、どの販売店から販売された印刷媒体４の広告か等の広告実績の確認を行う（ステップ６６）。
【００４８】
アフリェイトシステム２は、広告実績の確認を元にアクセスカウントテーブル３４（図５を参照）、売り上げテーブル３８（図５を参照）のデータを更新する。これによって広告報酬を計算する。アフリェイトシステム２は、計算された結果を、電子商取引サイト３、出版社、販売店等の関係者に送信する（ステップ６８、７０、７２）。出版社、販売店は、アフリェイトシステム２で計算された広告報酬を受け取って、電子商取引サイト３に請求することができる。アフリェイトシステム２も、電子商取引サイト３に請求することができる。
【００４９】
（出版社での流れ）
図８は、出版社での広告とアフリェイトコード５を印刷媒体４に掲載するときの流れを示すフローチャートである。出版社は、出版する印刷媒体４の企画を立案し、これに掲載する広告の検討を行う（ステップ１００、１０２）。出版社は、アフリェイトシステム２を訪問し、広告オファーリスト５０（図９を参照）を参照して、広告の情報を入手する。この情報を元に広告を選ぶ（ステップ１０４）。この選んだ広告を、アフリェイトシステム２から広告の画像情報と、広告用のアフリェイトコード５と一緒に入手する（ステップ１０６）。
【００５０】
印刷媒体４に広告を掲載して、アフリェイトコード５を印刷して、印刷媒体４を出版する（ステップ１０８）。出版された印刷媒体４を提携先の販売店等に送り、ユーザに提供する（ステップ１１０）。後は、アフリェイトシステム２に計算されて、送信されてくる広告報酬を受け取り、電子商取引サイト３にその広告報酬金額を請求することができる。
【００５１】
（オファーリスト５０の例）
図９は、アフリェイトシステム２が出版社に提供するオファーリスト５０の一例を示す図である。オファーリスト５０は、電子商取引サイト３の名称を示す欄である電子商取引サイト名５１、この電子商取引サイト３が販売している商品の説明を示す欄である商品の説明５２、広告の報酬を示す欄である報酬５３、申し込みを行う欄である申し込み５７からなる。
【００５２】
報酬５３には、電子商取引サイト３上の商品をクリックしたときの広告報酬を示す１クリック単価５４、広告を掲載するときに支払われる定額報酬５５、商品が販売された売り上げの一定の割合に支払う定率報酬５６等がある。出版社の担当者は、オファーリスト５０を参照して、企画に適した広告を見つけたら申し込み５７の欄に表示されるボタンを押して、申し込みの手続きを行う。このとき、出版社は、第２クライアントテーブル４４（図５を参照）に示す情報を入力してアフリェイトシステム２に登録を行う必要がある。販売者も同様に、第３クライアントテーブル４６（図５を参照）に示す情報を入力してアフリェイトシステム２に登録を行う必要がある。
【００５３】
（支払いリスト７０）
図１０は、アフリェイトシステム２が広告の結果を集計し、広告報酬を計算した支払いリスト７０の例を示す図である。支払いリスト７０は、アクセスカウントテーブル３４（図５を参照）、売り上げテーブル３８（図５を参照）等を参照して行われる。支払いリスト７０は、電子商取引サイト３の名称を示す欄である電子商取引サイト名７１を有する。支払いリスト７０は、オファーリスト５０に示す１クリック単価５４による報酬を計算したクリック単価７２、クリック数７３、クリック報酬金額７４を有する。また、支払いリスト７０は、オファーリスト５０に示す定額報酬５５による報酬を計算した定額報酬単価７５、定額報酬件数７６、定額法集金額７７を有する。
【００５４】
更に、支払いリスト７０は、オファーリスト５０に示す定率報酬５６による報酬を計算した定率報酬７８、定率報酬売り上げ７９、定率報酬金額８０を有する。最後は、合計の報酬金額を示す欄である合計報酬金額８１を有する。更に、出版社、販売店ごとにこの報酬金額の計算をする（図示せず）。これらの報酬金額の計算は、請求データテーブル４０（図５を参照）に格納される。
【００５５】
（読取装置６について）
本発明の広告システムは、ユーザに読取装置６を提供する。ユーザは、読取装置６を販売店等から購入することができる。広告システムは、読取装置６をユーザに無料配布することもできる。読取装置６は、パーソナルコンピュータ８に接続されて利用される。読取装置６は、パーソナルコンピュータ８には例えばＵＳＢコネクタによって接続されることができる。読取装置６は、それぞれ重ならない特定の識別番号が付与されてユーザに提供される。この識別情報は、ユーザテーブル４８（図５を参照）に格納されて、アフリェイトシステム２において管理される。
【００５６】
読取装置６に識別情報を付与することで、個人認証機能と配布ルート認証機能を持たせることができる。また、個人認証情報及び配布ルート認証情報を格納したＩＣチップを読取装置６に接続して利用することができる。このようにＩＣチップを利用すれば、一つの読取装置６を複数のユーザが使用することができ、各ユーザごとに個人認証を行ってアフリェイトシステム２が管理する。このように、ＩＣチップを接続した読取装置６をパーソナルコンピュータ８が認証し、ＩＣチップが格納している情報を用いて個人認証を行い、読取装置６を使用可能にする。
【００５７】
また、読取装置６は、別の個人認証装置と組み合わせて利用することができる。このアフリェイトシステムデータベース３０は、アフリェイトシステム２のウェブサーバに格納されることができる。又は、このアフリェイトシステムデータベース３０は、このウェブサーバと直接又はインターネット１０等のネットワークによって接続されたに電子計算機に格納されることができる。
【００５８】
本発明は、上述のように成功報酬型広告料金システム、販売マージン分配システム、印刷媒体に掲載する広告のアフリェイトシステムで利用することが可能である。インターネット上に商品販売・役務を行っている電子商取引システムに利用され、雑誌、新聞、書籍、街頭に配布される宣伝チラシ等の印刷媒体にこの商品販売・役務の広告を掲載し、その効果を把握し、利益分配を行うシステムに利用することが望ましい。広告主は、広告料金を固定費ではなく、変動費として執行できるので、商品販売・役務の成功に応じて広告料金を支払うために広告費用の節約ができる。印刷媒体でもアフリェイトシステムを利用することができる。
【００５９】
読取装置６に識別番号を付与されているので、読取装置を持参している人の個人認証を行うためのシステムに適応することができる。例えば、特定システムへアクセスするためのパスワードの変わりにアフリェイトコードを用い、これを読取装置６の識別情報と組み合わせて個人認証を行うことができる。このとき、アフリェイトシステムがアフリェイトコード５と、読取装置６の識別情報との組み合わせにより、ユーザを個人認証し、システムへのアクセスを許可するか否かの返事をする。
【００６０】
読取装置６に識別番号を付与されているので、読取装置６を持参しているユーザの利用により人の個人認証を行うためウェブページ又はウェブページ上の商品にアクセスしたユーザの統計を把握するアクセスログ解析システムに利用することができる。アフリェイトシステム２は、ユーザを識別し、どの広告から電子商取引サイト３にアクセスしたかを把握する。よって、広告ごとにその効果を把握することができる。そして、アフリェイトシステム２は、商品販売を行っている電子商取引サイト３から出版社、販売店、アフリェイトシステム２に支払う手数料を計算することができる。
【産業上の利用可能性】
【００６１】
本発明は、個人認証システム、成功報酬型アフリェイトシステム、アクセスログ解析システム、成功報酬型広告料金システム、販売マージン分配システム、印刷媒体に掲載する広告のアフリェイトシステムで利用すると良い。特に、インターネット上に商品販売・役務を行っている電子商取引システムの成功報酬型広告料金システムに利用されても良い。
【図面の簡単な説明】
【００６２】
【図１】図１は、実施の形態の広告システムの概要を図示した図である。
【図２】図２は、アフリェイトコード５の例を図示している図である。
【図３】図３は、ドットパターン２０の一例を図示している図である。
【図４】図４は、ドットパターン２０の情報ドット２３の定義の一例を示す図である。
【図５】図５は、アフリェイトシステムデータベース３０の概要を図示しているブロック図である。
【図６】図６は、アフリェイトコード５を利用するときの全体動作を示すフローチャートである。
【図７】図７は、出版社、アフリェイトシステム２、電子商取引サイト３が業務提携を行うときの流れを示すフローチャートである。
【図８】図８は、出版社での広告とアフリェイトコード５を印刷媒体４に掲載するときの流れを示すフローチャートである。
【図９】図９は、アフリェイトシステム２が出版社に提供するオファーリスト５０の一例を示す図である。
【図１０】図１０は、アフリェイトシステム２が広告報酬を計算した支払いリスト７０の例を示す図である。
【符号の説明】
【００６３】
１…ユーザ側
２…アフリェイトシステム
３電子商取引サイト
４…印刷媒体
５…アフリェイトコード
６…読取装置
７…情報端末
８…パーソナルコンピュータ
９…携帯電話器
１０…インターネット
２０…ドットパターン
３０…アフリェイトシステムデータベース
５０…オファーリスト
７０…支払いリスト
【図１】
2008041014.tif 000003
【図２】
2008041014.tif 000004
【図３】
2008041014.tif 000005
【図４】
2008041014.tif 000006
【図５】
2008041014.tif 000007
【図６】
2008041014.tif 000008
【図７】
2008041014.tif 000009
【図８】
2008041014.tif 000010
【図９】
2008041014.tif 000011
【図１０】
2008041014.tif 000012